(57)【要約】【課題】撮影中にアクセサリーへの電力の供給されずにシャットダウンしてしまうことを防止できるようにする。【解決手段】撮像装置の動作中の消費電流を判定するとともに、アクセサリーの識別結果からアクセサリーの消費電流を判定し、さらにバッテリーの識別結果からバッテリーの最大許容電流を判定して比較する。そして、前記バッテリーを電源としている場合において、前記比較ステップにおける比較の結果、前記アクセサリーの消費電流と前記撮像装置の消費電流との合計が、前記バッテリーの最大許容電流を超えない場合に、前記バッテリーから前記アクセサリーに電力を供給する。【選択図】図１
2013143789.tif 000002
【特許請求の範囲】
【請求項１】
バッテリー、ＡＣアダプター及びアクセサリーと接続が可能な電力供給装置であって、
前記アクセサリーに電力を供給する電力供給手段と、
前記アクセサリーへ供給する電力の電源を制御する電源制御手段と、
前記アクセサリーの接続状態と種別とを識別するアクセサリー識別手段と、
前記ＡＣアダプターの接続状態を検出するＡＣアダプター検出手段と、
前記バッテリーの残量と種別とを識別するバッテリー識別手段と、
前記電力供給装置の動作中の消費電流を判定するとともに、前記アクセサリーの識別結果からアクセサリーの消費電流を判定し、さらに前記バッテリーの識別結果からバッテリーの最大許容電流を判定して比較する比較手段とを備え、
前記電力供給手段は、前記バッテリーを電源としている場合において、前記比較手段の比較の結果、前記アクセサリーの消費電流と前記電力供給装置の消費電流との合計が、前記バッテリーの最大許容電流を超えない場合に、前記バッテリーから前記アクセサリーに電力を供給することを特徴とする電力供給装置。
【請求項２】
前記ＡＣアダプター検出手段は、さらに前記ＡＣアダプターの種別を識別し、
前記比較手段は、さらに前記ＡＣアダプターの識別結果から前記ＡＣアダプターの最大許容電流を判定し、
前記電力供給手段は、前記ＡＣアダプターを電源としている場合において、前記比較手段の比較の結果、前記アクセサリーの消費電流と前記電力供給装置の消費電流との合計が、前記ＡＣアダプターの最大許容電流を超えない場合に、前記ＡＣアダプターから前記アクセサリーに電力を供給することを特徴とする請求項１に記載の電力供給装置。
【請求項３】
前記ＡＣアダプター検出手段は、さらに前記ＡＣアダプターの種別を識別し、
前記比較手段は、さらに前記ＡＣアダプターの識別結果から前記ＡＣアダプターの最大許容電流を判定し、
前記ＡＣアダプターと前記バッテリーとの両方が接続され、前記ＡＣアダプターを電源としている場合において、前記比較手段の比較の結果、前記アクセサリーの消費電流と前記電力供給装置の消費電流との合計が、前記ＡＣアダプターの最大許容電流を超えており、且つ前記バッテリーの最大許容電流を超えていない場合に、前記電源制御手段は、電源を前記ＡＣアダプターから前記バッテリーへ切り替え、前記電力供給手段は、前記バッテリーから前記アクセサリーに電力を供給することを特徴とする請求項１に記載の電力供給装置。
【請求項４】
前記電力供給手段は、前記バッテリーの電圧の残量があらかじめ設けられた値以上であった場合に、前記バッテリーから前記アクセサリーに電力を供給することを特徴とする請求項１又は３に記載の電力供給装置。
【請求項５】
前記バッテリーから前記アクセサリーに電力を供給している間に、前記バッテリーの電圧の残量が所定の電圧を下回った場合に、前記電力供給手段は、前記アクセサリーへの電力の供給を停止することを特徴とする請求項４に記載の電力供給装置。
【請求項６】
バッテリー、ＡＣアダプター及びアクセサリーと接続が可能な電力供給装置の電力供給方法であって、
前記アクセサリーに電力を供給する電力供給ステップと、
前記アクセサリーへ供給する電力の電源を制御する電源制御ステップと、
前記アクセサリーの接続状態と種別とを識別するアクセサリー識別ステップと、
前記ＡＣアダプターの接続状態を検出するＡＣアダプター検出ステップと、
前記バッテリーの残量と種別とを識別するバッテリー識別ステップと、
前記電力供給装置の動作中の消費電流を判定するとともに、前記アクセサリーの識別結果からアクセサリーの消費電流を判定し、さらに前記バッテリーの識別結果からバッテリーの最大許容電流を判定して比較する比較ステップとを備え、
前記電力供給ステップにおいては、前記バッテリーを電源としている場合において、前記比較ステップにおける比較の結果、前記アクセサリーの消費電流と前記電力供給装置の消費電流との合計が、前記バッテリーの最大許容電流を超えない場合に、前記バッテリーから前記アクセサリーに電力を供給することを特徴とする電力供給方法。
【請求項７】
バッテリー、ＡＣアダプター及びアクセサリーと接続が可能な電力供給装置を制御するためのプログラムであって、
前記アクセサリーに電力を供給する電力供給ステップと、
前記アクセサリーへ供給する電力の電源を制御する電源制御ステップと、
前記アクセサリーの接続状態と種別とを識別するアクセサリー識別ステップと、
前記ＡＣアダプターの接続状態を検出するＡＣアダプター検出ステップと、
前記バッテリーの残量と種別とを識別するバッテリー識別ステップと、
前記電力供給装置の動作中の消費電流を判定するとともに、前記アクセサリーの識別結果からアクセサリーの消費電流を判定し、さらに前記バッテリーの識別結果からバッテリーの最大許容電流を判定して比較する比較ステップとをコンピュータに実行させ、
前記電力供給ステップにおいては、前記バッテリーを電源としている場合において、前記比較ステップにおける比較の結果、前記アクセサリーの消費電流と前記電力供給装置の消費電流との合計が、前記バッテリーの最大許容電流を超えない場合に、前記バッテリーから前記アクセサリーに電力を供給することを特徴とするプログラム。
【発明の詳細な説明】
【技術分野】
【０００１】
本発明は電力供給装置、電力供給方法及びプログラムに関し、特に、大電流を消費するアクセサリーの電源制御に用いて好適な技術に関する。
【背景技術】
【０００２】
撮像装置のアクセサリーは、マイクのように消費電流のごく小さなものから、ビデオライトやフラッシュライトのように大電流を消費するものがある。従来、大電流を消費するアクセサリーを用いる場合は、撮像装置の電源とは別にアクセサリー用の電源を使用する。もしくは、バッテリーパック内で２つのセルが直列に接続された２セル電圧バッテリー、またはそれ以上の電圧バッテリーを採用した撮像装置から直接電力の供給を受けるように設計されている。
【０００３】
その一方で、撮像装置の省電力化に伴い、近年の撮像装置の電源には、バッテリーパック内でセルが直列に接続されていない１セル電圧バッテリーが採用されている。１セル電圧バッテリーは２セル電圧バッテリーと比較して電圧が約半分と低いため、撮像装置の消費電力が同じ場合においても、接続されたバッテリーの出力する電力は、１セル電圧バッテリーの方が２セル電圧バッテリーよりも２倍程度大きくなる。そのため、１セル電圧バッテリーを採用している撮像装置から、２セル電圧バッテリー用の大電流を消費するアクセサリーへ電力を供給すると、通常の１セル電圧バッテリーでは過電流保護回路が動作する。そのため、撮像装置は瞬時にシャットダウンとなってしまい、使用することが不可能となる。
【０００４】
また、１セル電圧バッテリー用のＡＣアダプターの場合も、大電流の消費に対応するためには大きなコストアップとなることから、大電流が消費されるアクセサリーに非対応となっているＡＣアダプターも多い。
【０００５】
しかしながら、大電流を消費するビデオライトを使用したいというユーザーのニーズも多い。そこで、大電流を消費するアクセサリーに対応するため、アクセサリーにおいて大電流の消費が可能な１セル電圧バッテリーとして、バッテリーパック内でセルが２つ以上並列に接続されたバッテリーも設計されている。従来の技術では、ＡＣアダプターを駆動する時はアクセサリーへの電力の供給を許可せず、バッテリーを駆動する時にアクセサリーへの電力の供給を許可するといった方法が採用され、装着可能なバッテリーは大電流消費に対応していることを前提に設計されている。
【先行技術文献】
【特許文献】
【０００６】
【特許文献１】特開平４−１１４５６９号公報
【発明の概要】
【発明が解決しようとする課題】
【０００７】
しかしながら、現在は様々な仕様のバッテリーが準備されており、撮影者が装着するアクセサリーの組み合わせを間違えると、動作中でもバッテリーが過電流を検知して、電力の供給を止めてしまう場合がある。例えば、８００ｍＡの電流を消費する撮像装置に、１．５Ａの電流で出力可能な１セル電圧バッテリーが装着されている場合を想定する。この撮像装置において、記録中に１．２Ａの電流を消費するビデオライトを点灯すると、１セル電圧バッテリーでは過電流保護回路が動作し、電力の供給を止めてしまう。その結果、記録は途中で停止し、撮影者は撮影機会を逃してしまう。
【０００８】
また、８００ｍＡの電流を消費する撮像装置に、３．０Ａの電流で出力できる、バッテリーパック内で２つ以上のセルが並列に接続されたバッテリーが装着されている場合を想定する。この撮像装置においては、１．２Ａの電流を消費するビデオライトを点灯させても、電力の供給は問題なく継続されるが、ビデオライトを点灯した瞬間、バッテリーの電圧は大きく低下する。したがって、バッテリーの電圧の残量が少ない状態でビデオライトを点灯させると、バッテリーの電圧が撮像装置の動作可能電圧を瞬間的に下回り、撮像装置がシャットダウンしてしまう。
【０００９】
また、通常の撮像装置では、バッテリーの電圧が減少し、あらかじめ設定された第一の設定電圧に達すると、撮影者にバッテリーの電圧の残量が少なくなっていることを警告する。また、ビデオライトの点灯中は、大電流を消費しているため電流経路の電圧降下が大きくなる。したがって、バッテリーの電圧が第一の設定電圧に達していない状態であっても、ズーム動作等のラッシュ電流が発生すると、ビデオライトの点灯による電圧降下と、撮像装置のラッシュ電流による電圧降下と、バッテリーの電圧降下とが組み合わされる。これにより、撮像装置の動作可能電圧を瞬間的に下回り、撮像装置がシャットダウンしてしまう。
【００１０】
また、従来の撮像装置において、ＡＣアダプターとバッテリーとの両方が同時に接続されている場合は、ＡＣアダプターを使用して駆動することが一般的である。ところが、必ずしもＡＣアダプターがバッテリーよりも大きな電力を出力できるわけではなく、バッテリーの方が大きな電力を出力可能なケースもある。大電力を出力できないＡＣアダプターと大電力を出力可能な十分に充電されたバッテリーとが接続されている状況では、ビデオライトなどのアクセサリーを接続してもＡＣアダプターから電力が供給される。このため、ビデオライトを点灯させることができず、撮影機会を逃してしまう。
【００１１】
本発明は前述の問題点に鑑み、撮影中にアクセサリーへの電力の供給されずにシャットダウンしてしまうことを防止できるようにすることを目的としている。
【課題を解決するための手段】
【００１２】
本発明に係る電力供給装置は、バッテリー、ＡＣアダプター及びアクセサリーと接続が可能な電力供給装置であって、前記アクセサリーに電力を供給する電力供給手段と、前記アクセサリーへ供給する電力の電源を制御する電源制御手段と、前記アクセサリーの接続状態と種別とを識別するアクセサリー識別手段と、前記ＡＣアダプターの接続状態を検出するＡＣアダプター検出手段と、前記バッテリーの残量と種別とを識別するバッテリー識別手段と、前記電力供給装置の動作中の消費電流を判定するとともに、前記アクセサリーの識別結果からアクセサリーの消費電流を判定し、さらに前記バッテリーの識別結果からバッテリーの最大許容電流を判定して比較する比較手段とを備え、前記電力供給手段は、前記バッテリーを電源として駆動している場合において、前記比較手段の比較の結果、前記アクセサリーの消費電流と前記電力供給装置の消費電流との合計が、前記バッテリーの最大許容電流を超えない場合に、前記バッテリーから前記アクセサリーに電力を供給することを特徴とする。
【発明の効果】
【００１３】
本発明によれば、大電流を消費するアクセサリーを装着した場合においてもシャットダウンしてしまうことを防止できる。
【図面の簡単な説明】
【００１４】
【図１】本発明の実施形態１における撮像装置による処理手順の一例を示すフローチャートである。
【図２】本発明の実施形態２における撮像装置による処理手順の一例を示すフローチャートである。
【図３】本発明の実施形態３における撮像装置による処理手順の一例を示すフローチャートである。
【図４】本発明の実施形態１、２及び３に係る撮像装置に含まれる構成要素の一例を示すブロック図である。
【発明を実施するための形態】
【００１５】
以下、図面を参照して本発明の実施形態を説明するが、本発明の実施形態は以下の実施形態に限定されるものではない。
【００１６】
［実施形態１］
図１は、実施形態１における撮像装置１００による処理手順の一例を示すフローチャートであり、図４は、実施形態１、２及び３における撮像装置１００及びアクセサリー１に含まれる構成要素の一例を示すブロック図である。
【００１７】
実施形態１では、撮像装置１００内のマイコン４のアクセサリー識別部３は、アクセサリー１内のアクセサリー種別回路２からアクセサリー種別の識別結果（識別信号）を入力する。また、マイコン４のバッテリー識別部８は、バッテリー６からバッテリー残量及び種別の識別信号を入力する。さらに、マイコン４のＡＣアダプター検出部５は、ＡＣアダプター７からＡＣアダプターの接続状態を示す検出信号を入力する。これにより、接続されているアクセサリー１の消費電流、接続されたバッテリー６の最大許容電流、及び接続されたバッテリー６の電圧の残量を識別することが可能である。また、ＡＣアダプター検出部５は、ＡＣアダプター７の種別を識別することもできる。
【００１８】
また、実施形態１においては、撮像装置１００の電源にＡＣアダプター７とバッテリー６との両方が接続されている場合、使用する電源の優先順位はＡＣアダプター７の方が高いものとする。また、ＡＣアダプター７の最大許容電流は小さいため、ＡＣアダプター７から大電流を消費するアクセサリー１へ電力を供給しないものとする。
【００１９】
アクセサリー１の種別が、マイクやリモートコントローラー等の消費電流の低いアクセサリーである場合は、マイコン４はバッテリーの種別、残量、及びＡＣアダプター７の検出状況がいかなる場合においてもアクセサリー１に対して電力の供給を許可する。これに対して、アクセサリー１の種別がビデオライトアクセサリーのように、大電流を消費するタイプであった場合は、マイコン４は接続されている電源によって消費電力を比較してアクセサリー１へ電力を供給するか否かを判定する。以下、大電流を消費するアクセサリー１が撮像装置１００に装着されているものとして説明する。
【００２０】
実施形態１においては、図１に示すように、使用している電源がＡＣアダプター７である場合は、ユーザーに対してＡＣアダプター７からアクセサリー１へ電力を供給ができない旨の警告を不図示の表示部に表示する。そして、マイコン４のアクセサリー電源制御部９は、アクセサリー電源回路１１を制御してアクセサリー１へ電力の供給を許可しないようにする。また、使用している電源がバッテリー６であって、バッテリー６の出力可能な電流が少なく、アクセサリー１へ電力を供給できない場合においても、ユーザーに対して警告を表示し、アクセサリー１へ電力の供給を許可しないようにする。
【００２１】
一方、接続されているバッテリー６の最大許容電流が十分に大きく、アクセサリー１に対して電力の供給が可能であり、且つバッテリー６の電圧が、電圧の残量が十分であることを示すしきい値以上であった場合は、電力を供給することができる。この場合、マイコン４のアクセサリー電源制御部９は、アクセサリー電源回路１１を制御してアクセサリー１のアクセサリー負荷回路１０へアクセサリー用電源線１２を介して電力の供給を許可する。
【００２２】
ここで、バッテリー６の電圧の残量が十分でなく、バッテリー６の電圧がしきい値より低かった場合は、アクセサリー１へ電力を供給し始めた瞬間にバッテリー６の電圧が低下する。このように、バッテリー６の電圧が撮像装置１００本体の動作可能電圧を下回ってしまうことを避けるため、バッテリー６の電圧が前述のしきい値よりも高い所定の値より低い場合もユーザーに対して警告を表示し、アクセサリー１へ電力の供給を許可しない。
【００２３】
また、アクセサリー１へ電力を供給している間は、バッテリー６の電圧は大きく低下している。そして、撮像装置１００において急激な負荷変動が発生した場合はさらにバッテリー６の電圧は低下し、撮像装置１００本体の動作可能電圧を下回る可能性がある。通常の撮像装置では、バッテリーの電圧が下がり、あらかじめ設定されている電圧を下回ると、ユーザーに対して警告を表示し、電源を切る動作などを行う。
【００２４】
これに対して実施形態１においては、アクセサリー１へ電力を供給している間は、マイコン４は、前述のしきい値である第一の設定電圧よりも高い電圧である第二の設定電圧を設定値として設ける。そして、バッテリー６の電圧が第二の設定電圧を下回った場合は、マイコン４はユーザーに対して警告を表示し、アクセサリー電源制御部９によりアクセサリー電源回路１１を制御してアクセサリー１へ電力の供給を停止する。第二の設定電圧を下回り、アクセサリー１へ電力の供給を停止した後は、マイコン４は第二の設定電圧の設定を解除する。そして、アクセサリー１が外されたことをＡＣアダプター検出部５が検出するか、バッテリー６の交換が行われたことをバッテリー識別部８が検出するまで、アクセサリー１へ電力の供給は許可しないようにする。
【００２５】
［実施形態２］
実施形態１では、ＡＣアダプター７の最大許容電流が、アクセサリー１へ電力の供給が不可能な場合の例について説明した。これに対して実施形態２では、ＡＣアダプターの最大許容電流が十分であり、アクセサリーへ電力の供給が可能である場合の例について説明する。なお、実施形態２に係る撮像装置の構成は、図４と同様である。また、図２には、実施形態２における撮像装置１００による処理手順の一例を示す。
【００２６】
図２に示すように、実施形態２においては、最大許容電流が十分であるＡＣアダプター７が検出されている間においても、マイコン４のアクセサリー電源制御部９はアクセサリー電源回路１１を制御してアクセサリー１への電力供給を許可する。また、アクセサリー１へ電力を供給している間にＡＣアダプター７が抜かれたことをＡＣアダプター検出部５が検出した場合は、マイコン４のアクセサリー電源制御部９はアクセサリー電源回路１１を制御してバッテリー６に電源を切り替える。この場合は図２に示すように実施形態１と同様の処理が行われる。すなわち、接続されているバッテリー６の最大許容電流がアクセサリー１に電力を供給できるほど十分でない場合、もしくはバッテリー６の電圧の残量が十分でない場合は、アクセサリー１への電力供給を速やかに停止し、ユーザーに対して警告を表示する。
【００２７】
［実施形態３］
実施形態１では、撮像装置１００にＡＣアダプター７とバッテリー６との両方が接続されている場合に、使用する電源の優先順位はＡＣアダプター７が高い場合の例について説明した。これに対して実施形態３では、撮像装置１００がＡＣアダプター７とバッテリー６との両方が接続されている場合に、使用する電源を撮像装置１００がどちらか選択できる例について説明する。なお、実施形態３に係る撮像装置の構成は、図４と同様である。また、図３には、実施形態３における撮像装置１００による処理手順の一例を示す。
【００２８】
まず、撮像装置１００にＡＣアダプター７とバッテリー６との両方が接続されていた場合、図３に示すように、電源としてＡＣアダプター７を優先する。この状態において、大電流を消費するアクセサリー１が接続され、ＡＣアダプター７の最大許容電流がアクセサリー１に電力を供給できるほど十分でない場合、マイコン４のバッテリー識別部８は、バッテリー６の種別及び残容量を識別信号より識別する。
【００２９】
バッテリー６の種別がアクセサリー１に電力を供給可能なものであり、且つバッテリー６の電圧があらかじめ設定されたしきい値以上であり、残量が十分である場合は、使用する電源をＡＣアダプター７からバッテリー６へ切り替える。すなわち、マイコン４のアクセサリー電源制御部９はアクセサリー電源回路１１を制御して使用する電源をＡＣアダプター７からバッテリー６へ切り替え、バッテリー６からアクセサリー１へ電力の供給を開始する。
【００３０】
また、アクセサリー１に電力を供給している間は、マイコン４は第二の設定電圧を設定値として設け、バッテリー６の電圧が第二の設定電圧を下回った場合に、ユーザーに対して警告を表示するようにする。そして、アクセサリー電源制御部９はアクセサリー電源回路１１を制御してアクセサリー１への電力の供給を停止し、使用する電源をバッテリー６からＡＣアダプター７へ切り替える。
【００３１】
以上のように実施形態１から３によれば、アクセサリー１の消費電流と撮像装置１００の消費電流との合計が、バッテリー６またはＡＣアダプター７の最大許容電流を超えない場合にのみ、アクセサリー１に電力を供給するようにした。これにより、撮影中に突然アクセサリーへの電力の供給されずにシャットダウンしてしまうことを防止することができる。
【００３２】
［実施形態４］
実施形態１、２及び３で説明した様々な機能及び処理は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態４では、パーソナルコンピュータ、マイクロコンピュータ、ＣＰＵなどを「コンピュータＸ」と呼ぶ。また、実施形態４では、コンピュータＸを制御するためのプログラムであって、実施形態１、２及び３で説明した様々な機能及び処理を実現するためのプログラムを「プログラムＹ」と呼ぶ。
【００３３】
実施形態１、２及び３で説明した様々な機能及び処理は、コンピュータＸがプログラムＹを実行することによって実現される。この場合において、プログラムＹは、コンピュータ読み取り可能な記憶媒体を介してコンピュータＸに供給される。実施形態４におけるコンピュータ読み取り可能な記憶媒体は、ハードディスク装置、光ディスク、ＣＤ−ＲＯＭ、ＣＤ−Ｒ、メモリカード、ＲＯＭ、ＲＡＭなどの少なくとも一つを含む。また、実施形態４におけるコンピュータ読み取り可能な記憶媒体は、ｎｏｎ−ｔｒａｎｓｉｔｏｒｙ（非一時的）な記憶媒体である。
【符号の説明】
【００３４】
１  アクセサリー
２  アクセサリー種別回路
３  アクセサリー識別部
４  マイコン
５  ＡＣアダプター検出部
６  バッテリー
７  ＡＣアダプター
８  バッテリー識別部
９  アクセサリー電源制御部
１０  アクセサリー負荷回路
１１  アクセサリー電源回路
１２  アクセサリー用電源線
【図１】
2013143789.tif 000003
【図２】
2013143789.tif 000004
【図３】
2013143789.tif 000005
【図４】
2013143789.tif 000006